(57)【要約】【課題】ＣＩＳモジュールを用いた読み取りにおいて画像品質を低下させることなく読み取り倍率を補正する。【解決手段】複数のイメージセンサ素子群をライン状に配置したコンタクトイメージセンサモジュールによって画像を読み取る画像読取装置１００であって、前記複数のイメージセンサ素子群間のそれぞれの間隙を画素として補間する補間手段と、前記補間手段により増減した画素数に対して、前記コンタクトイメージセンサモジュールにより読み取り倍率を所定の値に調整する倍率調整手段と、を備えることを特徴とする。なお、補間手段と倍率調整手段とは、制御部１０１により構成される。【選択図】図１
2010141647.tif 000002
【特許請求の範囲】
【請求項１】
複数のイメージセンサ素子群をライン状に配置したコンタクトイメージセンサモジュールによって画像を読み取る画像読取装置であって、
前記複数のイメージセンサ素子群間のそれぞれの間隙を画素として補間する補間手段と、
前記補間手段により増減した画素数に対して、前記コンタクトイメージセンサモジュールにより読み取り倍率を所定の値に調整する倍率調整手段と、
を備えることを特徴とする画像読取装置。
【請求項２】
原稿の両面を読み取る機能を有し、少なくとも一方の面について、複数のイメージセンサ素子群をライン状に配置したコンタクトイメージセンサモジュールによって画像を読み取る画像読取装置であって、
前記複数のイメージセンサ素子群間のそれぞれの間隙を画素として補間する補間手段と、
前記補間手段により増減した画素数に対して、前記コンタクトイメージセンサモジュールにより読み取り倍率を所定の値に調整する倍率調整手段と、
を少なくとも前記一方の面について備え、両面の読み取り倍率を一致させることを特徴とする画像読取装置。
【請求項３】
複数のイメージセンサ素子群をライン状に配置したコンタクトイメージセンサモジュールを原稿の両面それぞれに対応して備えて原稿両面の画像を読み取る画像読取装置であって、
前記複数のイメージセンサ素子群間のそれぞれの間隙を画素として補間する補間手段と、
前記補間手段により増減した画素数に対して、前記コンタクトイメージセンサモジュールにより読み取り倍率を所定の値に調整する倍率調整手段と、
を原稿の少なくとも一方の面について備え、両面の読み取り倍率を一致させることを特徴とする画像読取装置。
【請求項４】
前記倍率調整手段は、
前記読み取り倍率を縮小する方向に制御する際に、前記間隙が小さい箇所において、前記補間手段が補間する画素数を他の間隙より減じるよう制御する、
ことを特徴とする請求項１〜請求項３のいずれか一項に記載の画像読取装置。
【請求項５】
前記イメージセンサ素子群の配列長手方向を主走査方向、該主走査方向に直交する方向を副走査方向とした場合、
前記倍率調整手段は、
前記読み取り倍率を縮小する方向に制御する際に、前記間隙の前記副走査方向ずれ量が小さい箇所において、前記補間手段が補間する画素数を他の間隙より減じるよう制御する、
ことを特徴とする請求項１〜請求項３のいずれか一項に記載の画像読取装置。
【請求項６】
前記イメージセンサ素子群の配列長手方向を主走査方向とした場合、
前記倍率調整手段は、
前記読み取り倍率を縮小する方向に制御する際に、
前記コンタクトイメージセンサモジュールの主走査方向の両端部に近い間隙について、前記補間手段が補間する画素数を他の間隙より減じるよう制御する、
ことを特徴とする請求項１〜請求項３のいずれか一項に記載の画像読取装置。
【請求項７】
前記倍率調整手段は、
前記読み取り倍率を拡大する方向に制御する際に、前記間隙が大きい箇所において、前記補間手段が補間する画素数を他の間隙より増やすよう制御する、
ことを特徴とする請求項１〜請求項３のいずれか一項に記載の画像読取装置。
【請求項８】
前記イメージセンサ素子群の配列長手方向を主走査方向、該主走査方向に直交する方向を副走査方向とした場合、
前記倍率調整手段は、
前記読み取り倍率を拡大する方向に制御する際に、前記間隙の前記副走査方向ずれ量が大きい箇所において、前記補間手段が補間する画素数を他の間隙より増やすよう制御する、
ことを特徴とする請求項１〜請求項３のいずれか一項に記載の画像読取装置。
【請求項９】
前記イメージセンサ素子群の配列長手方向を主走査方向とした場合、
前記倍率調整手段は、
前記読み取り倍率を拡大する方向に制御する際に、
前記コンタクトイメージセンサモジュールの主走査方向の両端部に近い間隙について、前記補間手段が補間する画素数を他の間隙より増やすよう制御する、
ことを特徴とする請求項１〜請求項３のいずれか一項に記載の画像読取装置。
【請求項１０】
前記イメージセンサ素子群の配列長手方向を主走査方向、該主走査方向に直交する方向を副走査方向とした場合、
前記イメージセンサ素子群の前記主走査方向の間隙量もしくは前記副走査方向の間隙のずれ量について記憶する記憶手段を、前記コンタクトイメージセンサモジュールに備える、
ことを特徴とする請求項１〜請求項９のいずれか一項に記載の画像読取装置。
【発明の詳細な説明】
【技術分野】
【０００１】
本発明は、複数のイメージセンサ素子群をライン状に配置したコンタクトイメージセンサ（ＣＩＳ（Contact Image Sensor））モジュールにより原稿の一方の面あるいは両面を読み取る画像読取装置における読み取り倍率の違いを解消する技術に関する。
【背景技術】
【０００２】
原稿の読み取りを行う画像形成装置としては、１つの読取手段を備えていて原稿の片面の読み取りを行うもの、１つの読取手段を備えていて原稿を往復（スイッチバック）させて原稿の両面の読み取りを行うもの、２つの読取手段を備えていて原稿を搬送させつつ両面の読み取り（両面同時読み取り）を行うもの、などが存在している。
【０００３】
特に、原稿を一方向に搬送（１パス）させつつ２つの読取手段で並行して両面の読み取りを行う画像読取装置が、短時間で原稿両面の読み取りを行うことができ生産性の点で優れており、さらに原稿へのダメージも小さく、複雑な反転機構が不要になるなど、利点が存在している。
【０００４】
なお、このような両面同時読み取りに関しては、原稿を搬送しつつ、一方の面については、複数のイメージセンサ素子群をライン状に配置したＣＩＳモジュールにより等倍で読み取り、他方の面については縮小光学系を有するＣＣＤセンサにより、並行して読み取るものが多い。
【０００５】
ここで、ＣＣＤセンサを用いた読み取り手段では、レンズなどの光学系の調節により読み取り倍率を微妙に調整することが可能である。
一方、ＣＩＳモジュールを用いた読み取り手段では、基板上にイメージセンサ素子群が固定されているため、読み取り倍率を調整することができない。そこで、画像処理部において、変倍処理を施すことによって、倍率の制御を行っている。
【０００６】
特に、原稿の両面をＣＩＳモジュールとＣＣＤセンサとにより読み取って、記録紙の両面に画像形成する場合には、両面の倍率のズレが目立ちやすいため、一般的には、画像処理部で変倍処理を施すことが行われていた。
【０００７】
また、片面の読み取りであっても、ＣＩＳモジュールで正しい読み取り倍率で読み取りたいという要望も存在している。
なお、ＣＩＳモジュールを用いた読み取りに関しては、以下の特許文献１、２に関連した技術や提案が記載されている。
【特許文献１】特開２００８−１８２５２０号公報
【特許文献２】特開２００２−２３２６５４号公報
【発明の開示】
【発明が解決しようとする課題】
【０００８】
以上の特許文献１記載のＣＩＳモジュール読み取り倍率を、画像処理の変倍において対処する場合、画像形成時の網点などの線やドットの密度と本来の読み取り時の画素密度との比率が微妙に崩れることになり、最終的に形成される画像にモアレが生じるといった不具合が発生することがある。
【０００９】
また、引用文献２はＣＩＳモジュール内のイメージセンサ素子群の間隙にドットを補間挿入して埋める技術であり、倍率制御については配慮されていない。
本発明は、以上のような課題を解決するためになされたものであって、ＣＩＳモジュールを用いた読み取りにおいて画像品質を低下させることなく読み取り倍率を補正することができる画像読取装置を提供することを目的とする。
【課題を解決するための手段】
【００１０】
以上の課題を解決する本発明は、以下に記載するようなものである。
（１）請求項１記載の発明は、複数のイメージセンサ素子群をライン状に配置したコンタクトイメージセンサモジュールによって画像を読み取る画像読取装置であって、前記複数のイメージセンサ素子群間のそれぞれの間隙を画素として補間する補間手段と、前記補間手段により増減した画素数に対して、前記コンタクトイメージセンサモジュールにより読み取り倍率を所定の値に調整する倍率調整手段と、を備えることを特徴とする画像読取装置である。
【００１１】
（２）請求項２記載の発明は、原稿の両面を読み取る機能を有し、少なくとも一方の面について、複数のイメージセンサ素子群をライン状に配置したコンタクトイメージセンサモジュールによって画像を読み取る画像読取装置であって、前記複数のイメージセンサ素子群間のそれぞれの間隙を画素として補間する補間手段と、前記補間手段により増減した画素数に対して、前記コンタクトイメージセンサモジュールにより読み取り倍率を所定の値に調整する倍率調整手段と、を少なくとも前記一方の面について備え、両面の読み取り倍率を一致させる、ことを特徴とする画像読取装置である。
【００１２】
（３）請求項３記載の発明は、複数のイメージセンサ素子群をライン状に配置したコンタクトイメージセンサモジュールを原稿の両面それぞれに対応して備えて原稿両面の画像を読み取る画像読取装置であって、前記複数のイメージセンサ素子群間のそれぞれの間隙を画素として補間する補間手段と、前記補間手段により増減した画素数に対して、前記コンタクトイメージセンサモジュールにより読み取り倍率を所定の値に調整する倍率調整手段と、を原稿の少なくとも一方の面について備え、両面の読み取り倍率を一致させる、ことを特徴とする画像読取装置である。
【００１３】
（４）請求項４記載の発明は、前記倍率調整手段は、前記読み取り倍率を縮小する方向に制御する際に、前記間隙が小さい箇所において、前記補間手段が補間する画素数を他の間隙より減じるよう制御する、ことを特徴とする請求項１〜請求項３のいずれか一項に記載の画像読取装置である。
【００１４】
（５）請求項５記載の発明は、前記イメージセンサ素子群の配列長手方向を主走査方向、該主走査方向に直交する方向を副走査方向とした場合、前記倍率調整手段は、前記読み取り倍率を縮小する方向に制御する際に、前記間隙の前記副走査方向ずれ量が小さい箇所において、前記補間手段が補間する画素数を他の間隙より減じるよう制御する、ことを特徴とする請求項１〜請求項３のいずれか一項に記載の画像読取装置である。
【００１５】
（６）請求項６記載の発明は、前記イメージセンサ素子群の配列長手方向を主走査方向とした場合、前記倍率調整手段は、前記読み取り倍率を縮小する方向に制御する際に、前記コンタクトイメージセンサモジュールの主走査方向の両端部に近い間隙について、前記補間手段が補間する画素数を他の間隙より減じるよう制御する、ことを特徴とする請求項１〜請求項３のいずれか一項に記載の画像読取装置である。
【００１６】
（７）請求項７記載の発明は、前記倍率調整手段は、前記読み取り倍率を拡大する方向に制御する際に、前記間隙が大きい箇所において、前記補間手段が補間する画素数を他の間隙より増やすよう制御する、ことを特徴とする請求項１〜請求項３のいずれか一項に記載の画像読取装置である。
【００１７】
（８）請求項８記載の発明は、前記イメージセンサ素子群の配列長手方向を主走査方向、該主走査方向に直交する方向を副走査方向とした場合、前記倍率調整手段は、前記読み取り倍率を拡大する方向に制御する際に、前記間隙の前記副走査方向ずれ量が大きい箇所において、前記補間手段が補間する画素数を他の間隙より増やすよう制御する、ことを特徴とする請求項１〜請求項３のいずれか一項に記載の画像読取装置である。
【００１８】
（９）請求項９記載の発明は、前記イメージセンサ素子群の配列長手方向を主走査方向とした場合、前記倍率調整手段は、前記読み取り倍率を拡大する方向に制御する際に、前記コンタクトイメージセンサモジュールの主走査方向の両端部に近い間隙について、前記補間手段が補間する画素数を他の間隙より増やすよう制御する、ことを特徴とする請求項１〜請求項３のいずれか一項に記載の画像読取装置である。
【００１９】
（１０）請求項１０記載の発明は、前記イメージセンサ素子群の配列長手方向を主走査方向、該主走査方向に直交する方向を副走査方向とした場合、前記イメージセンサ素子群の前記主走査方向の間隙量もしくは前記副走査方向の間隙のずれ量について記憶する記憶手段を、前記コンタクトイメージセンサモジュールに備える、ことを特徴とする請求項１〜請求項９のいずれか一項に記載の画像読取装置である。
【００２０】
（Ａ）他の発明は、イメージセンサ素子群をライン状に複数備えたコンタクトイメージセンサモジュールによって画像を読み取る画像読取装置であって、前記イメージセンサ素子群の間隙のそれぞれについて補間する画素数を増減し、前記コンタクトイメージセンサモジュールによる読み取り倍率を所定の値に調整する制御手段を備える、ことを特徴とする画像読取装置である。
【００２１】
（Ｂ）また他の発明は、原稿の両面を読み取る機能を有し、少なくとも一方の面についてイメージセンサ素子群をライン状に複数備えたコンタクトイメージセンサモジュールによって画像を読み取る読み取り手段を備えた画像読取装置であって、該一方の面の前記イメージセンサ素子群の間隙のそれぞれについて補間する画素数を増減し、前記コンタクトイメージセンサモジュールによる読み取り倍率を所定の値に調整して両面の読み取り倍率を一致させる制御手段を備える、ことを特徴とする画像読取装置である。
【００２２】
（Ｃ）更に他の発明は、原稿の両面を読み取る機能を有し、イメージセンサ素子群をライン状に複数備えたコンタクトイメージセンサモジュールによって画像を読み取る読み取り手段を、原稿の両面それぞれに対応して備えた画像読取装置であって、少なくとも一方の面の前記イメージセンサ素子群の間隙のそれぞれについて補間する画素数を増減し、前記コンタクトイメージセンサモジュールによる読み取り倍率を両面で一致させる制御手段を備える、ことを特徴とする画像読取装置である。
【発明の効果】
【００２３】
本発明によると以下のような効果が得られる。
（１）請求項１記載の画像読取装置の発明では、イメージセンサ素子群をライン状に複数備えたコンタクトイメージセンサモジュールによって画像を読み取る際に、制御手段が、各イメージセンサ素子群の間隙のそれぞれについて補間する画素数を増減することで、コンタクトイメージセンサモジュールによる読み取り倍率を所定の値に調整する。
【００２４】
これにより、コンタクトイメージセンサモジュールを用いた読み取りにおいて、各イメージセンサ素子群の間隙について補間する画素数を増減して読み取り倍率を所定の値に調整しており、変倍処理を用いずに読み取り倍率を制御することができ、画像品質を低下させることなく読み取り倍率を補正することができる。
【００２５】
（２）請求項２記載の画像読取装置の発明では、少なくとも一方の面についてイメージセンサ素子群をライン状に複数備えたコンタクトイメージセンサモジュールによって原稿両面の画像を読み取る際に、一方の面の各イメージセンサ素子群の間隙のそれぞれについて補間する画素数を増減することで、コンタクトイメージセンサモジュールによる読み取り倍率を所定の値に調整して、両面の読み取り倍率を一致させる。
【００２６】
（３）請求項３記載の画像読取装置の発明では、イメージセンサ素子群をライン状に複数備えたコンタクトイメージセンサモジュールによって原稿の両面それぞれを読み取る際に、少なくとも一方の面の各イメージセンサ素子群の間隙のそれぞれについて補間する画素数を増減することで、コンタクトイメージセンサモジュールによる読み取り倍率を両面で一致させる。
【００２７】
（４）請求項４記載の画像読取装置の発明では、以上の（１）〜（３）において、読み取り倍率を縮小する方向に制御する際に、間隙が小さい箇所において、補間する画素数を他の間隙より減じるよう制御する。
【００２８】
これにより、コンタクトイメージセンサモジュールを用いた読み取りにおいて、各イメージセンサ素子群の間隙について補間する画素数を増減して読み取り倍率を所定の値に調整する際に、画像品質を低下させず、目立たないように読み取り倍率の調整が可能になる。
【００２９】
（５）請求項５記載の画像読取装置の発明では、以上の（１）〜（３）において、読み取り倍率を縮小する方向に制御する際に、間隙の副走査方向ずれ量が小さい箇所において、補間する画素数を他の間隙より減じるよう制御する。
【００３０】
これにより、コンタクトイメージセンサモジュールを用いた読み取りにおいて、各イメージセンサ素子群の間隙について補間する画素数を増減して読み取り倍率を所定の値に調整する際に、画像品質を低下させず、目立たないように読み取り倍率の調整が可能になる。
【００３１】
（６）請求項６記載の画像読取装置の発明では、以上の（１）〜（３）において、読み取り倍率を縮小する方向に制御する際に、コンタクトイメージセンサモジュールの主走査方向の両端部に近い間隙について、補間する画素数を他の間隙より減じるよう制御する。
【００３２】
これにより、コンタクトイメージセンサモジュールを用いた読み取りにおいて、各イメージセンサ素子群の間隙について補間する画素数を増減して読み取り倍率を所定の値に調整する際に、画像品質を低下させず、目立たないように読み取り倍率の調整が可能になる。
【００３３】
（７）請求項７記載の画像読取装置の発明では、以上の（１）〜（３）において、読み取り倍率を拡大する方向に制御する際に、間隙が大きい箇所において、補間する画素数を他の間隙より増やすよう制御する。
【００３４】
これにより、コンタクトイメージセンサモジュールを用いた読み取りにおいて、各イメージセンサ素子群の間隙について補間する画素数を増減して読み取り倍率を所定の値に調整する際に、画像品質を低下させず、目立たないように読み取り倍率の調整が可能になる。
【００３５】
（８）請求項８記載の画像読取装置の発明では、以上の（１）〜（３）において、読み取り倍率を拡大する方向に制御する際に、間隙の副走査方向ずれ量が大きい箇所において、補間する画素数を他の間隙より増やすよう制御する。
【００３６】
これにより、コンタクトイメージセンサモジュールを用いた読み取りにおいて、各イメージセンサ素子群の間隙について補間する画素数を増減して読み取り倍率を所定の値に調整する際に、画像品質を低下させず、目立たないように読み取り倍率の調整が可能になる。
【００３７】
（９）請求項９記載の画像読取装置の発明では、以上の（１）〜（３）において、読み取り倍率を拡大する方向に制御する際に、コンタクトイメージセンサモジュールの主走査方向の両端部に近い間隙について、補間する画素数を他の間隙より増やすよう制御する。
【００３８】
これにより、コンタクトイメージセンサモジュールを用いた読み取りにおいて、各イメージセンサ素子群の間隙について補間する画素数を増減して読み取り倍率を所定の値に調整する際に、画像品質を低下させず、目立たないように読み取り倍率の調整が可能になる。
【００３９】
（１０）請求項１０記載の画像読取装置の発明では、以上の（１）〜（９）において、イメージセンサ素子群の主走査方向の間隙量もしくは副走査方向の間隙のずれ量について記憶手段に記憶しておく。
【００４０】
これにより、コンタクトイメージセンサモジュールを用いた読み取りにおいて、各イメージセンサ素子群の間隙について補間する画素数を増減して読み取り倍率を所定の値に調整する際に、画像品質を低下させず、目立たないように、適切な状態で、読み取り倍率の調整が可能になる。
【発明を実施するための最良の形態】
【００４１】
以下、図面を参照して本発明を実施するための最良の形態（以下、実施形態）を詳細に説明する。
なお、原稿の内容を画像情報として読み取って画像データを生成して出力する画像読取装置（スキャナ）であっても、また、原稿読み取り手段（スキャナ）により複写対象物（原稿）の内容を画像情報として読み取って複写する機能を備えた画像形成装置（複写装置）であっても、さらに、原稿読み取り手段（スキャナ）により送信対象物（原稿）の内容を画像情報として読み取って通信回線を介して送信する機能を備えた画像送信装置（ファクシミリ装置）であっても、本発明の実施形態を適用することが可能である。
【００４２】
〈画像読取装置の機械的構成〉
まず、図２を参照して本実施形態の画像読取装置の機械的構成を説明する。なお、ここでは、原稿を自動的に搬送しつつ、反転機構を用いることなく、１パスと呼ばれる１回の搬送で原稿の両面を同時あるいは並行して読み取る機能を有する画像読取装置を、本実施形態の具体例として用いる。
【００４３】
なお、ここでは、原稿の搬送や駆動に用いられるローラ、このローラを駆動するモータやモータ駆動回路やギヤなどについては詳細を省略し、原稿の搬送と読み取りとを原理的に模式図として示している。
【００４４】
ここで、画像読取装置１００は、原稿搬送部１０７により搬送される原稿を、縮小光学系を用いてＣＣＤセンサにより読み取るＣＣＤ読み取り部１１０と、基板上にイメージセンサ素子群が固定されたＣＩＳモジュールにより読み取るＣＩＳモジュール１２０とを備えて構成されている。
【００４５】
ここで、ＣＩＳモジュール１２０は、複数のイメージセンサ素子群をライン状に配置したコンタクトイメージセンサ（ＣＩＳ（Contact Image Sensor））モジュールであり、密着型のラインセンサとして使用される読み取り手段である。
【００４６】
すなわち、画像読取装置１００は、複数のイメージセンサ（ＩＳ）素子群をライン状に配置したコンタクトイメージセンサ（ＣＩＳ）モジュールによって、原稿の少なくとも一方の画像を読み取る画像読取装置である。
【００４７】
この構成の場合、原稿搬送部１０７は原稿トレイに載置された原稿を図中の矢印方向に搬送しつつ、ＣＣＤ読み取り部１１０により原稿表面の画像を読み取り、その後、密着型のＣＩＳモジュール１２０にて原稿裏面の画像を読み取り、原稿排紙トレイに排紙を行う。
【００４８】
なお、原稿の片面を読み取る場合には、原稿搬送部１０７を用いずに、プラテンガラス１１０ＰＧ上に載置された原稿を、ＣＣＤ読み取り部１１０の光学系を移動させつつ読み取ることも可能である。
【００４９】
すなわち、原稿を一度通過させる１パスにより、原稿の表面と裏面とをそれぞれ別の読取手段によって並行して読み取ることで、複雑な反転機構を用いることなく、原稿へのダメージを減らし、生産性を向上させるようにしている。
【００５０】
なお、この図２に示した本実施形態では、ＣＣＤ読み取り部１１０ミラーやレンズなどの縮小光学系を介して原稿の縮小像を読み取り、一方、ＣＩＳモジュール１２０は原稿の等倍像を読み取るものである。ただし、ともに密着型のＣＩＳモジュールであっても良い。
【００５１】
〈画像読取装置の電気的構成〉
図１は本発明の第１の実施形態の画像読取装置１００内の詳細構成を示すブロック図である。なお、この図１では、本実施形態の特徴部分の動作説明に必要な部分の周囲を中心に記載してあり、その他の画像読取装置として既知の部分については省略してある。
【００５２】
１０１は画像読取装置１００各部を制御する制御部である。なお、この制御部１０１は、原稿の読み取り全般についての制御や、イメージセンサ素子群をライン状に複数備えたＣＩＳモジュール１２０によって画像を読み取る際に、各イメージセンサ素子群の間隙のそれぞれについて補間する画素数を増減することで、ＣＩＳモジュール１２０による読み取り倍率の制御を実行する。
【００５３】
なお、この制御部１０１が、複数のイメージセンサ素子群間のそれぞれの間隙を画素として補間する補間手段と、補間手段により増減した画素数に対して、ＣＩＳモジュールにより読み取り倍率を所定の値に調整する倍率調整手段と、を構成している。
【００５４】
１０３は原稿サイズの指定や読み取りスタートなどの利用者からの各種指示が入力される操作部である。１０５は画像読取装置１００の表示部であり、制御部１０１の制御に基づいて、各種状態あるいは各種メッセージを文字や数値コードや絵文字などによって表示する。あるいは、この表示部１０５は、必要に応じて、音声や光の点滅によって表示や報知する。なお、操作部１０３と表示部１０５とはタッチパネル形式で一体に構成されていてもよい。
【００５５】
１０７Ｍは制御部１０１の指示に基づいて原稿搬送部１０７によって原稿の搬送駆動を行う原稿搬送駆動部である。なお、この原稿搬送駆動部１０７Ｍの一部として、原稿先端検知センサ等が備えられており、検知結果は制御部１０１に通知される。
【００５６】
１１０は縮小光学系を介してＣＣＤにより原稿の第一面（表面）の画像の読み取りを行う第一読取手段としてのＣＣＤ読み取り部である。
１２０は基板上にイメージセンサ素子群が固定されて原稿の第二面（裏面）の画像の読み取りを行う第二読取手段としてのＣＩＳモジュール１２０である。
【００５７】
１３０はＣＣＤ読み取り部１１０とＣＩＳモジュール１２０とで読み取って得られた画像データに対して、各種画像処理を実行する画像処理部である。
なお、この実施形態では、制御部１０１の指示により、各イメージセンサ素子群の間隙のそれぞれについて所定の画素数の画素を補間挿入する画像処理をも実行する。
【００５８】
〈ＣＩＳモジュールの構成〉
なお、ＣＩＳモジュール１２０の構成は、図３に示すようになっている。
この図３は、ＣＩＳモジュール１２０の読み取り面を見た平面図である。なお、実際には、ＣＩＳモジュール１２０の読み取り面を保護するガラス、読み取り面からイメージセンサ素子群に至る間のレンズ素子、照明ランプなどについても省略して、模式的に示している。
【００５９】
ここでは、それぞれ数百の受光素子が設けられたｎ個のイメージセンサ素子群１２６ａ〜１２６ｎが、原稿の最大の主走査長に合わせ、主走査方向にライン上に配置されている。
【００６０】
また、各イメージセンサ素子群１２６ａ〜１２６ｎについては、それぞれ隣接するイメージセンサ素子群の間に間隙（ｄ1〜ｄn-1）として、１±０．５画素程度の隙間が存在している。すなわち、各間隙は０．５画素〜１．５画素程度のすきまが存在している。そして、この実施形態では、制御部１０１の指示により、各イメージセンサ素子群の間隙のそれぞれについて所定の画素数の画素を補間挿入しつつ読み取り倍率の調整を実行する画像処理が、画像処理部１３０で実行される。
【００６１】
また、このイメージセンサ素子群１２６ａ〜１２６は、完全に一列に並んでいるわけではなく、イメージセンサ素子群の配列長手方向を主走査方向、該主走査方向に直交する方向を副走査方向とした場合、図３（ｂ）に示すよう、０．５画素程度の副走査方向に若干のずれ（ｅ1〜ｅn-1）が生じた状態に配置されている。なお、図３（ｂ）では、紙面の都合で、ｅ1とｅn-1のみを図示している。
【００６２】
そして、このようなＣＩＳモジュール１２０の製造時による個体差、すなわち、イメージセンサ素子群１２６ａ〜１２６ｎの間隙の違いにより、ＣＩＳモジュール１２０による読み取りとＣＣＤ１１０による読み取りとで、図４のような読み取り倍率の違いが発生しうる。
【００６３】
図４（ａ）はＣＩＳモジュール１２０の読み取り倍率が大きい場合、図４（ｂ）はＣＩＳモジュール１２０の読み取り倍率が小さい場合である。
図４（ａ）の場合には、後述する画素の補間挿入を若干減らすことで、読み取り倍率を小さく補正する。図４（ｂ）の場合には、後述する画素の補間挿入を若干増やすことで、読み取り倍率を大きく補正する。
【００６４】
なお、このＣＩＳモジュール１２０には、記憶部１２０Ｍが設けられており、ＣＩＳモジュール１２０の製造者によって、各間隙の主走査方向の大きさ（画素数）、各間隙の副走査方向のずれ（画素数）について、予め値が記憶されているものとする。
【００６５】
〈第一の実施形態の動作〉
以下、第一の実施形態の画像読取装置の動作について、図５のフローチャートを参照して、詳細な動作説明を行う。
【００６６】
まず、図５により本実施形態の全体処理を説明する。制御部１０１は、ＣＩＳモジュール１２０内のメモリ１２０Ｍにアクセスし、イメージセンサ素子群の主走査方向の間隙量もしくは副走査方向の間隙のずれ量について読み出す（図５中のステップＳ１）。
【００６７】
ここで、制御部１０１は、メモリ１２０Ｍから有効なデータが読み出せたか否かを判断し（図５中のステップＳ２）、有効なデータが存在しなければ（図５中のステップＳ２でＮＯ）、制御部１０１は間隙ずれを検知するための所定のチャートの読み取りを表示部１０５に表示する（図５中のステップＳ３）。その後、チャートの読み取りが完了したら、読み取って得たイメージセンサ素子群の主走査方向の間隙量もしくは副走査方向の間隙のずれ量について、制御部１０１は、メモリ１２０Ｍに記憶させる。
【００６８】
また、制御部１０１は、メモリ１２０Ｍから有効なデータが読み出せたか否かを判断し（図５中のステップＳ２）、有効なデータが存在すれば（図５中のステップＳ２でＹＥＳ）、そのデータを参照して、調整すべき目標の読み取り倍率を算出する（図５中のステップＳ４）。
【００６９】
なお、ここで、ＣＩＳモジュール１２０の調整すべき目標の読み取り倍率とは、
(a)基準となる絶対値（設計目標値）に近づけるための調整、
(b)両面画像形成時の他方の面のＣＣＤ読み取り部１１０の読み取り倍率に近づけるための調整、
(c)両面画像形成時の他方の面のＣＩＳモジュール１２０の読み取り倍率に近づけるための調整、
などが考えられる。
【００７０】
そして、制御部１０１は、以上の読み取り倍率に合わせ、拡大であれば間隙に補間挿入する画素を増加させ、縮小であれば間隙に補間挿入する画素を減少させるようにする。
たとえば、イメージセンサ素子群の１つあたりの画素数が３１２画素であり、このイメージセンサ素子群を２４個並べた状態のＣＩＳモジュール１２０が存在しているとする。この場合、各間隙に１画素ずつ補間挿入して、７４８８＋２３画素が標準的な画素数となる。
【００７１】
この場合、０．１％の微小縮小が必要であれば、補間挿入する画素２３画素をいずれかの位置で合計７画素減らして１６画素とすればよい。また、この場合、０．１％の微小拡大が必要であれば、補間挿入する２３画素をいずれかの位置で合計７画素増やして３０画素とすればよい。
【００７２】
そこで、制御部は、調整すべき読み取り倍率に合わせ、補間挿入する画素の、減少数あるいは増加数を算出する。
この場合、補間挿入する画素の増減については、目立ちにくい位置で実行することが望ましい。
【００７３】
すなわち、主走査方向の間隙の小さい部分に対して実行する、あるいは、副走査方向のずれ量の小さい箇所に対して実行する、あるいは、最大サイズより小さい記憶手段では使用されない領域である主走査方向の両端部近くに対して実行する、などが望ましい。以下、これを列記する。
【００７４】
(d1)読み取り倍率を縮小する方向に制御する際に、間隙が小さい箇所において、補間する画素数を他の間隙より減じるよう制御する。
(d2)読み取り倍率を縮小する方向に制御する際に、間隙の副走査方向ずれ量が小さい箇所において、補間する画素数を他の間隙より減じるよう制御する。
【００７５】
(d3)読み取り倍率を縮小する方向に制御する際に、ＣＩＳモジュールの主走査方向の両端部に近い間隙について、補間する画素数を他の間隙より減じるよう制御する。
(e1)読み取り倍率を拡大する方向に制御する際に、間隙が大きい箇所において、補間する画素数を他の間隙より増やすよう制御する。
【００７６】
(e2)読み取り倍率を拡大する方向に制御する際に、間隙の副走査方向ずれ量が大きい箇所において、補間する画素数を他の間隙より増やすよう制御する。
(e3)読み取り倍率を拡大する方向に制御する際に、ＣＩＳモジュールの主走査方向の両端部に近い間隙について、補間する画素数を他の間隙より増やすよう制御する。
【００７７】
なお、以上の場合、補間挿入する画素を減じた場合、他の箇所では１画素の補間挿入する、減じた箇所では、０画素の補間挿入、ということもあり得る。
この場合、制御部１０１がいずれを実行するかを決定する。または、ユーザの希望に準じて、制御部１０１が決定する。あるいは、手動設定モードなどで、ユーザが、上記(d1)〜(e3)のいずれを実行するかを決定してもよい。また、この際に、出力された画像を参照したユーザが上記上記(d1)〜(e3)のいずれを実行するかを決定あるいは再決定してもよい。
【００７８】
そして、決定された以上の手法に基づいて、画像処理部１３０において、どのような補間アルゴリズムで間隙の画素挿入を行って画像処理を実行するかについて、制御部１０１は、画像処理のアルゴリズムを決定して記憶部（不図示）などに記憶したり、画像処理を実行するプログラマブルロジックコントローラを構築する（図５中のステップＳ６）。
【００７９】
以上の実施形態によれば、イメージセンサ素子群をライン状に複数備えたＣＩＳモジュールによって画像を読み取る際に、制御部１０１が、各イメージセンサ素子群の間隙のそれぞれについて補間する画素数を増減することで、ＣＩＳモジュールによる読み取り倍率を所定の値に調整する。これにより、ＣＩＳモジュール１２０を用いた読み取りにおいて、各イメージセンサ素子群の間隙について補間する画素数を増減して読み取り倍率を所定の値に調整しており、変倍処理を用いずに読み取り倍率を制御することができ、変倍処理のような画像品質を低下させることなく、読み取り倍率を補正することができる。
【００８０】
〈その他の実施形態〉
以上の実施形態では、複数のイメージセンサ素子群をライン状に配置したコンタクトイメージセンサ（ＣＩＳ）モジュールによって画像を読み取る場合を具体例にして説明してきたが、ＣＩＳモジュール以外であっても、複数のイメージセンサ素子群をライン状に配置した各種のイメージセンサモジュールであれば、本実施形態を適用することで読み取り倍率の補正に際して良好な結果を得ることができる。
【００８１】
また、ＣＩＳモジュールあるいは他の各種のイメージセンサモジュールを密着型でない状況で読み取りに使用する場合であっても、本実施形態を適用することで読み取り倍率の補正に際して良好な結果を得ることができる。
【図面の簡単な説明】
【００８２】
【図１】本発明の実施形態の画像読取装置の電気的な構成を示す機能ブロック図である。
【図２】本発明の実施形態の画像読取装置の機械的な構成を示す構成図である。
【図３】本発明の実施形態のＣＩＳモジュールな構成を示す構成図である。
【図４】本発明の実施形態の倍率の調整の必要性を示す説明図である。
【図５】本発明の実施形態の処理動作を示すフローチャートである。
【符号の説明】
【００８３】
１００  画像読取装置
１０１  制御部
１０２  記憶部
１０３  操作部
１０５  表示部
１０７  原稿搬送駆動部
１０７Ｍ  原稿搬送駆動部
１１０  ＣＣＤ読み取り部
１２０  ＣＩＳモジュール
１３０  画像処理部
【図１】
2010141647.tif 000003
【図２】
2010141647.tif 000004
【図３】
2010141647.tif 000005
【図４】
2010141647.tif 000006
【図５】
2010141647.tif 000007